(57)【要約】【課題】近距離にいる対面可能なもの同士が携帯端末を利活用してコミュニケーションを円滑化させる優れたサービス提供できるコミュニケーションサーバ装置を実現させること。【解決手段】コミュニケーションサーバ装置１００にサービス契機を担う携帯端末４０１を登録して待機状態にする。携帯端末４０２が登録すると携帯端末４０１の同一グループとなってコミュニケーションサーバ装置１００は同一グループの携帯端末へサービススケジュールに基づいてコンテンツリンクを行いデジタルコンテンツを順次配信する。コミュニケーションサーバ装置１００は、同一グループの携帯端末が互いに近距離にある場合に、任意の携帯端末のアクションによるインタラクティブアクセスを応対してデジタルコンテンツの配信先や順序、デジタルコンテンツリンクを決定する。【選択図】図１
2007295208.tif 000002
【特許請求の範囲】
【請求項１】
画面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置であって、デジタルコンテンツによるサービス提供を複数の携帯端末が受ける際に、まずサービス提供を受ける契機を担う携帯端末を登録するリーダー登録手段と、リーダー登録手段により登録した携帯端末と同一グループに属する携帯端末として該サービスを開始させるために、別の携帯端末を登録するメンバ登録手段と、リーダー登録手段およびメンバ登録手段により登録した同一グループの携帯端末が互いに近距離にある場合に、前記同一グループの携帯端末のうちの任意の携帯端末へのアクションで該携帯端末からのインタラクティブアクセスを受け、同一グループの携帯端末へサービス提供のスケジュールを管理し進行させるサービススケジュール手段と、該サービススケジュール手段に基づいてデジタルコンテンツのリンクを設定するコンテンツリンク手段と、リンクが設定されたデジタルコンテンツを前記同一グループの携帯端末へ配信するデジタルコンテンツ配信手段とを備えたことを特徴とするコミュニケーションサーバ装置。
【請求項２】
前記複数の携帯端末を一群として識別するためのセッション識別情報と、前記リーダー登録手段によって登録された携帯端末を識別するためのリーダー識別情報と、前記メンバ登録手段によって登録された携帯端末を識別するためのメンバ識別情報とを対応付けて記憶させるための記憶手段を更に備え、前記リーダー登録手段は、セッション識別情報またはリーダー識別情報が未登録のセッション識別情報とリーダー識別情報を付加した携帯端末からのサービス要求を受信した場合、該携帯端末のセッション識別情報とリーダー識別情報を前記記憶手段に記憶することを特徴とする請求項１記載のコミュニケーションサーバ装置。
【請求項３】
前記複数の携帯端末を一群として識別するためのセッション識別情報と、前記リーダー登録手段によって登録された携帯端末を識別するためのリーダー識別情報と、前記メンバ登録手段によって登録された携帯端末を識別するためのメンバ識別情報と、前記メンバ登録手段で登録するごとに更新するグループ関係情報とを対応付けて記憶させるための記憶手段を更に備え、前記メンバ登録手段は、携帯端末から登録済みであるセッション識別情報およびリーダー識別情報およびメンバ識別情報を付加されたサービス要求を受信した場合、該セッション識別情報およびリーダー識別情報およびメンバ識別情報に対応したグループ関係情報を更新して前記記憶手段に記憶し、あるいは、携帯端末から登録済みのセッション識別情報およびリーダー識別情報を付加されたサービス要求を受信した場合、該セッション識別情報およびリーダー識別情報および未登録のメンバ識別情報を対応付けて前記記憶手段に記憶し、該携帯端末へセッション識別情報とリーダー識別情報に対応付けたメンバ識別情報を与える手段を備えたことを特徴とする請求項１記載のコミュニケーションサーバ装置。
【請求項４】
前記メンバ登録手段は、携帯端末から登録済みであるセッション識別情報およびメンバ識別情報を付加されたサービス要求を受信した場合、該セッション識別情報およびメンバ識別情報に対応したグループ関係情報を更新して前記記憶手段に記憶し、あるいは、携帯端末から登録済みのセッション識別情報を付加されたサービス要求を受信した場合、該セッション識別情報に対応したリーダー識別情報と未登録のメンバ識別情報を対応付けて前記記憶手段に記憶し、該携帯端末へセッション識別情報に対応付けたメンバ識別情報を与える手段を備えたことを特徴とする請求項３記載のコミュニケーションサーバ装置。
【請求項５】
前記同一グループの携帯端末となるたびに前記グループ関係情報を更新させ、該グループ関係情報を評価する手段を更に備え、該グループ関係情報を評価する手段により携帯端末へセッション識別情報とリーダー識別情報を与える手段を備えたことを特徴とする請求項３または請求項４記載のコミュニケーションサーバ装置。
【請求項６】
前記同一グループの携帯端末ごとのデジタルコンテンツまたは階層化されたストーリー性があるデジタルコンテンツを備え、前記複数の携帯端末を一群として識別するためのセッション識別情報と、前記リーダー登録手段によって登録された携帯端末を識別するためのリーダー識別情報と、前記メンバ登録手段によって登録された携帯端末を識別するためのメンバ識別情報と、前記携帯端末ごとのデジタルコンテンツまたは階層化されたストーリー性があるデジタルコンテンツの各々の集合を管理するコンテンツ管理情報とを対応付けて記憶させるための記憶手段を更に備え、前記コンテンツリンク手段は、前記同一グループの携帯端末の各々へ、文章、音楽、画像、映像などの異なるデジタルコンテンツをリンクにより合成されたコンテンツとすることを特徴とする請求項１記載のコミュニケーションサーバ装置。
【請求項７】
前記同一グループの携帯端末ごとに階層化されたストーリー性があるデジタルコンテンツを備え、前記複数の携帯端末を一群として識別するためのセッション識別情報と、前記リーダー登録手段によって登録された携帯端末を識別するためのリーダー識別情報と、前記メンバ登録手段によって登録された携帯端末を識別するためのメンバ識別情報と、携帯端末ごとに配信するデジタルコンテンツやリンク情報やインタラクティブアクセスに応じた処理を記述したサービスシナリオ情報とを対応付けて記憶させるための記憶手段を更に備え、該サービスシナリオ情報に基づきサービスを展開する手段を更に備え、前記サービススケジュール手段は、前記同一グループの携帯端末のいずれかの携帯端末からのインタラクティブアクセスに応対して、前記同一グループの携帯端末の中から任意の携帯端末を配信先とし、前記携帯端末ごとに、前記コンテンツリンク手段によるデジタルコンテンツを、同一グループの携帯端末と同期して、順次、逆順、飛び越してスケジュールさせることを特徴とする請求項１記載のコミュニケーションサーバ装置。
【請求項８】
前記コンテンツリンク手段は、携帯端末が近距離通信手段を介して送信するための手段で、前記同一グループの他の携帯端末へアクションを起こすために、該近距離通信手段への指示内容をデジタルコンテンツとリンクすることを特徴とする請求項１記載のコミュニケーションサーバ装置。
【請求項９】
前記複数の携帯端末を一群として識別するためのセッション識別情報と、前記リーダー登録手段によって登録された携帯端末を識別するためのリーダー識別情報と、前記メンバ登録手段によって登録された携帯端末を識別するためのメンバ識別情報と、前記コンテンツ管理情報と、デジタルコンテンツを送信し携帯端末からのインタラクティブアクセスによる使用頻度や印象度などを記録するインプレッション情報とを対応付けて記憶させるための記憶手段を更に備え、前記携帯端末からのインタラクティブアクセスによりインプレッション情報を更新させ、該インプレッション情報を評価する手段を更に備え、携帯端末へセッション識別情報とリーダー識別情報を与える手段を備えたことを特徴とする請求項６記載のコミュニケーションサーバ装置。
【請求項１０】
前記携帯端末は、携帯電話であることを特徴とする請求項１から請求項９のいずれか記載のコミュニケーションサーバ装置。
【請求項１１】
画面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置におけるコンテンツ配信方法であって、デジタルコンテンツによるサービス提供を複数の携帯端末が受ける際に、まずサービス提供を受ける契機を担う携帯端末を登録するためのリーダー登録ステップと、リーダー登録ステップにより登録した携帯端末と同一グループに属する携帯端末として該サービスを開始させるために、別の携帯端末を登録するメンバ登録ステップと、リーダー登録ステップおよびメンバ登録ステップにより登録した同一グループの携帯端末が互いに近距離にある場合に、前記同一グループの携帯端末のうちの任意の携帯端末へのアクションで該携帯端末からのインタラクティブアクセスを受け、同一グループの携帯端末へサービス提供のスケジュールを管理し進行させるサービススケジュールステップと、該サービススケジュールステップに基づいてデジタルコンテンツのリンクを設定するコンテンツリンクステップと、リンクが設定されたデジタルコンテンツを前記同一グループの携帯端末へ配信するデジタルコンテンツ配信ステップとを備えたことを特徴とするコンテンツ配信方法。
【請求項１２】
画面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置として機能するコンピュータのプログラムであって、デジタルコンテンツによるサービス提供を複数の携帯端末が受ける際に、まずサービス提供を受ける契機を担う携帯端末を登録するためのリーダー登録手段と、リーダー登録手段により登録した携帯端末と同一グループに属する携帯端末として該サービスを開始させるために、別の携帯端末を登録するメンバ登録手段と、リーダー登録手段およびメンバ登録手段により登録した同一グループの携帯端末が互いに近距離にある場合に、前記同一グループの携帯端末のうちの任意の携帯端末へのアクションで該携帯端末からのインタラクティブアクセスを受け、同一グループの携帯端末へサービス提供のスケジュールを管理し進行させるサービススケジュール手段と、該サービススケジュール手段に基づいてデジタルコンテンツのリンクを設定するコンテンツリンク手段と、リンクが設定されたデジタルコンテンツを前記同一グループの携帯端末へ配信するデジタルコンテンツ配信手段とをコンピュータに機能させるためのコンテンツ配信プログラム。
【発明の詳細な説明】
【技術分野】
【０００１】
本発明は、携帯端末による近距離コミュニケーションを円滑化させるためにサービス提供するコミュニケーションサーバ装置およびコンテンツ配信方法に関するものである。
【背景技術】
【０００２】
携帯端末で最も普及している携帯電話は、まず通信インフラ環境に於いて、無線技術の進歩により高速化が進み、基地局装置の小型化やＩＰ化で広範囲をカバーし、どこでも使用できるようになった。更に２０１０年を目処とする第４世代移動通信システム（IMT-Advanced）の実証実験開始など、ますます高速化が期待でき、動画など大容量デジタルコンテンツの同時配信を可能とし、優良サービスの実現が可能となる。また携帯電話に於いてもハードウェアの進化と小型化、携帯電話に組み込まれた数百万行に及ぶソフトウェアによる高性能化、高機能化が達成され、デジタルコンテンツや携帯電話用プログラムのダウンロードも容易となり、動画再生や音楽再生が快適に動作するようになった。携帯電話にダウンロードされて実行する携帯電話用プログラムは、携帯電話の一部ハードウェアを利用可能なミドルウェアのインターフェース開示によって、デジタルコンテンツをバリエーション豊かに表現することも可能である。
【０００３】
また、携帯電話が他の端末等と通信手段を行う場合に於いて、従来の赤外線方式や高精細カメラによるバーコード読取機能では、相互の距離が近接した状態で可視状態であることが必要条件であったが、近距離無線による通信手段が搭載され、通信距離が数１０ｍまで可能となり相互の機器が可視状態でなくても良い。
【０００４】
デジタルコンテンツを配信してサービスを行うコミュニケーションサーバ装置に於いて、携帯電話のブラウザ機能がパーソナルコンピュータと同レベル（フルブラウザ）まで搭載された。これによってＷｅｂページを記述するために使用されるマークアップ言語は、バージョンの高いＨＴＭＬやＸＭＬ準拠のＸＨＴＭＬが使用でき、スクリプト言語のＪａｖａ（登録商標）Ｓｃｒｉｐｔやｐｅｒｌ、ＰＨＰ、ベクター画像記述言語のＳＶＧ（Scalable Vector Graphics）などがマークアップ言語の記述ラインにインクルード記述またはソースコードを埋め込めることで、文書と様々な形式の画像、映像、音楽がリンクでき、ブラウザで表現可能である。
【０００５】
更に従来であれば映像などの動画はダウンロードさせなければならなかったが、比較的記憶容量の小さな携帯電話ではダウンロードが不可能であった。しかしＡＳＦ（Advanced Streaming Format：統合コンテンツ）方式などにより、コミュニケーションサーバから配信する動画を携帯電話へダウンロードせず、ストリーミンング形式で動画データを受信しながら再生することも可能である（例えば、特許文献１参照）。これもマークアップ言語にインクルード記述またはソースコードを埋め込めることで、文書などとリンクが可能である。また、リンク情報によってはサイトをまたがることも可能であり、これらの言語に記述する内容はリンク先を示すのみでも可能である。
【０００６】
一方、携帯電話の進化過程は、当初よりハードウェア資産の全てを開放せず、例えば外部記憶装置であるＳＤカード（商標）は、ソフトウェアで書き込み制限をかけ、コンテンツ種別や著作内容に応じて携帯電話間、他の装置（例えばパソコンやＤＶＤ）へ転送できないようにするなどガードをかけている。そしてＢｌｕｅｔｏｏｔｈ（商標）などの近距離無線通信が搭載されても携帯電話間、他の装置への転送制限が行われている。
【特許文献１】特開２００４−２０８２５０号公報
【発明の開示】
【発明が解決しようとする課題】
【０００７】
このように、高速大容量化が進む通信インフラ環境であり高性能、高機能化された携帯電話が普及しつつありながら、制限もあることから、サービスの形態がコミュニケーションサーバ装置と個々の携帯電話との関係であり、近距離にいる対面可能なもの同士や、固定のもの（例えば店舗）と移動する人とを携帯電話を利活用できるコミュニケーションサーバ装置の仕組みが実現できていないという課題がある。
【０００８】
本発明の目的は、上記の背景技術および課題により、近距離にある携帯端末でコミュニケーションを図るための優れたサービスを提供するコミュニケーションサーバ装置、コンテンツ配信方法およびコンテンツ配信プログラムを提供することである。
【課題を解決するための手段】
【０００９】
本発明は、上記目的を達成するために、請求項１の発明に係るコミュニケーションサーバ装置は、画面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置であって、デジタルコンテンツによるサービス提供を複数の携帯端末が受けるために、まずサービス提供を受ける契機を担う携帯端末（以下、サービス提供を受ける契機を担う端末を「リーダー端末」と略記する）を登録するリーダー登録手段と、リーダー端末と同一グループに属する携帯端末となってサービスを開始させるために別の携帯端末（以下、リーダー端末と同一グループに属する別の携帯端末を「メンバ端末」と略記する）を登録するメンバ登録手段と、同一グループの携帯端末が互いに近距離にある場合に、前記同一グループの携帯端末のうちの任意の携帯端末へのアクションで該携帯端末からのインタラクティブアクセスを受け、同一グループの携帯端末へサービスのスケジュールを管理し進行させるサービススケジュール手段と、該サービススケジュール手段に基づいてデジタルコンテンツのリンクを設定するコンテンツリンク手段と、リンクが設定されたデジタルコンテンツを前記同一グループの携帯端末へ配信するコンテンツ配信手段とを備えたことを特徴とする。
【００１０】
請求項２の発明は、請求項１の発明において、一群を識別するセッション識別情報と、リーダー端末を識別するリーダー識別情報と、メンバ端末を識別するメンバ識別情報とを対応付けて記憶し、携帯端末がリーダー端末として新規登録する場合は、セッション識別情報またはリーダー識別情報が未登録のものを付加してサービス要求し、セッション識別情報が未登録のものは新規セッションのリーダー端末となり、リーダー識別情報が未登録のものはセッション識別情報が既存の新規のリーダー端末となる手段を有するリーダー登録手段を備えてもよい。
【００１１】
請求項３の発明は、請求項１の発明において、一群を識別するセッション識別情報と、リーダー端末を識別するリーダー識別情報と、メンバ端末を識別するメンバ識別情報と、前記メンバ登録手段で登録するごとに更新するグループ関係情報とを対応付けて記憶し、メンバ登録手段によりサービスを受ける携帯端末となるために、既存のメンバ端末の場合において前記メンバ登録手段は、該メンバ端末が前記セッション識別情報とリーダー識別情報とメンバ識別情報を付加してサービス要求し、メンバ識別情報に対応付けされたグループ関係情報を更新させ、あるいは、新規のメンバ端末において前記メンバ登録手段は、該メンバ端末が前記セッション識別情報とリーダー識別情報を付加してサービス要求し、該セッション識別情報とリーダー識別情報に対応付けされた新規のメンバ識別情報を設定し、該セッション識別情報とリーダー識別情報に対応付けた該メンバ識別情報を与える手段を備えてもよい。
【００１２】
請求項４の発明は、請求項３の発明において、既存のメンバ端末が複数のリーダー端末とメンバ登録する場合において、前記メンバ登録手段は、該メンバ端末が既存のセッション識別情報およびメンバ識別情報を付加してサービス要求し、前記セッション識別情報とメンバ識別情報が一致するリーダー端末の同一グループとして、該セッション識別情報とリーダー識別情報とメンバ識別情報の全てに対応付け、メンバ識別情報に対応付けされたグループ関係情報を更新させ、あるいは、新規のメンバ端末が複数のリーダー端末とメンバ登録する場合において、前記メンバ登録手段は、該メンバ端末が前記セッション識別情報を付加してサービス要求し、該セッション識別情報の全てのリーダー識別情報に対応付けて新規のメンバ識別情報を設定し、該セッション識別情報とリーダー識別情報に対応付けた該メンバ識別情報を与える手段を備えてもよい。
【００１３】
請求項５の発明は、請求項３または請求項４の発明において、前記既存のメンバ端末がメンバ登録手段で登録するたびに、前記メンバ識別情報と対応付けされたグループ関係情報を更新させ、該グループ関係情報を評価する手段を更に備え、評価の結果によってリーダー端末となるためのセッション識別情報とリーダー識別情報を与える手段を備えてもよい。
【００１４】
請求項６の発明は、請求項１の発明において、前記同一グループの携帯端末ごとにデジタルコンテンツまたは階層化されたストーリー性があるデジタルコンテンツを備え、前記複数の携帯端末が一群として識別するためのセッション識別情報と、リーダー端末を識別するリーダー識別情報と、メンバ端末を識別するメンバ識別情報と、前記携帯端末ごとのデジタルコンテンツまたは階層化されたストーリー性があるデジタルコンテンツの各々の集合を管理するコンテンツ管理情報とを対応付けて記憶し、前記コンテンツリンク手段は、デジタルコンテンツの各々を識別するコンテンツ管理情報とを対応付けて、前記同一グループの携帯端末の各々へ、文章、音楽、画像、映像などの異なるデジタルコンテンツをリンクにより合成されたデジタルコンテンツとする手段を備えてもよい。
【００１５】
請求項７の発明は、請求項１の発明において、前記同一グループの携帯端末ごとに階層化されたストーリー性があるデジタルコンテンツを備え、前記複数の携帯端末が一群として識別するためのセッション識別情報と、リーダー端末を識別するリーダー識別情報と、メンバ端末を識別するメンバ識別情報と、携帯端末ごとに配信するデジタルコンテンツやリンク情報、インタラクティブアクセスに応じた処理を記述したサービスシナリオ情報とを対応付けて記憶し、前記サービススケジュール手段は、該デジタルコンテンツ該同一グループの携帯端末ごとにサービスの内容を定義したサービスシナリオ情報とを対応付けて、該サービスシナリオ情報に基づきサービスを展開する手段と、前記同一グループの携帯端末のいずれかの携帯端末からのインタラクティブアクセスに応対して、前記同一グループの携帯端末の中から任意の携帯端末を配信先とし、前記携帯端末ごとに、前記コンテンツリンク手段によるデジタルコンテンツを、同一グループの携帯端末と同期して、順次、逆順、飛び越してスケジュールさせる手段を備えてもよい。
【００１６】
請求項８の発明は、請求項１の発明において、携帯端末が赤外線、Ｂｌｕｅｔｏｏｔｈ、Ｚｉｇｂｅｅなど近距離通信手段を介して送信するための手段を備えている場合、前記同一グループの他の携帯端末へアクションを起こさせるために、前記コンテンツリンク手段は、該近距離通信手段へのプロトコルやコマンドなどをデジタルコンテンツとリンクさせる手段を備えてもよい。
【００１７】
請求項９の発明は、請求項６の発明において、前記複数の携帯端末が一群として識別するためのセッション識別情報と、リーダー端末を識別するリーダー識別情報と、メンバ端末を識別するメンバ識別情報と、コンテンツ識別情報と、デジタルコンテンツを送信し携帯端末からのインタラクティブアクセスによる使用頻度や印象度などを記録するインプレッション情報とを対応付けて記憶し、前記携帯端末からのインタラクティブアクセスがデジタルコンテンツ参照回数、デジタルコンテンツに対する印象などの情報によりインプレッション情報を更新させ、該インプレッション情報を評価する手段を更に備え、評価の結果によってリーダー端末となるためのセッション識別情報とリーダー識別情報を与える手段を備えてもよい。
【００１８】
請求項１０の発明は、請求項１から請求項９のいずれかの発明において、前記携帯端末が携帯電話であることでもよいことを特徴とする。
【００１９】
請求項１１の発明に係るコンテンツ配信方法は、画面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置によるコンテンツ配信方法であって、デジタルコンテンツによるサービス提供を複数の携帯端末が受けるために、まずリーダー端末になるために登録するリーダー登録ステップと、リーダー端末と同一グループとなってサービスを受け、サービスを開始させるために携帯端末を登録するメンバ登録ステップと、同一グループの携帯端末が互いに近距離にある場合に、任意の携帯端末へのアクションで該携帯端末からのインタラクティブアクセスを受け、同一グループの携帯端末へサービスのスケジュールを管理し進行させるサービススケジュールステップと、該サービススケジュールステップに基づいてデジタルコンテンツのリンクを設定するコンテンツリンクステップと、リンクが設定されたデジタルコンテンツを前記同一グループの携帯端末へ配信するコンテンツ配信ステップとを備えたことを特徴とする。
【００２０】
請求項１２の発明に係るコンテンツ配信プログラムは、画面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置として機能するコンピュータのプログラムであって、デジタルコンテンツによるサービス提供を複数の携帯端末が受けるために、まずリーダー端末になるために登録するリーダー登録手段と、リーダー端末と同一グループとなってサービスを受け、サービスを開始させるために携帯端末を登録するメンバ登録手段と、同一グループの携帯端末が互いに近距離にある場合に、任意の携帯端末へのアクションで該携帯端末からのインタラクティブアクセスを受け、同一グループの携帯端末へサービスのスケジュールを管理し進行させるサービススケジュール手段と、該サービススケジュール手段に基づいてデジタルコンテンツのリンクを設定するコンテンツリンク手段と、リンクが設定されたデジタルコンテンツを前記同一グループの携帯端末へ配信する手段とをコンピュータに機能させるためのコンテンツ配信プログラムである。
【００２１】
なお、本発明は、上記のようなコミュニケーションサーバ装置、コンテンツ配信方法およびコンテンツ配信プログラムとして実現できるだけでなく、コミュニケーションサーバ装置に加えてリーダー端末とメンバ端末とを含む協調型通信システムとして実現したり、そのような協調型通信システムにおける通信手順からなる協調型通信方法として実現したり、上記コンテンツ配信プログラムが記録されたコンピュータ読み取り可能なＤＶＤ等の記録媒体として実現することもできる。
【発明の効果】
【００２２】
本発明によれば、携帯端末の特性をフルに利活用してコミュニケーションを図るためのより優れたサービス提供を実現できる。
【発明を実施するための最良の形態】
【００２３】
以下、添付図面を参照して本発明に係る一実施の形態を詳述する。まず図１を用いて全体の構成について説明する。図１は本実施の形態によるコミュニケーションサーバ装置の全体構成図である。携帯端末として携帯電話４００を用い、コミュニケーションサーバ１００とは電気通信事業者の移動体通信網２００で通信接続されており、コミュニケーションサーバ１００と携帯電話４００はインターネット３００で接続されている。
【００２４】
コミュニケーションサーバ１００は、携帯端末用プログラムおよび、デジタルデータで表現された文章、音楽、画像、映像、データベースまたはこれらを組み合わせた集合であるデジタルコンテンツを複数の携帯端末へ配信できるサービスを提供し、携帯端末からのインタラクティブアクセスに応対可能な機能を有する。
【００２５】
このコミュニケーションサーバ１００は、面表示機能や音声再生機能、ブラウザ機能を有する携帯端末に対して、携帯端末用プログラムおよび、デジタルデータで表現された文章、音楽、画像、映像、データベースまたはこれらを組み合わせた集合であるデジタルコンテンツを複数の携帯端末へ配信することによってサービス提供し、携帯端末からのインタラクティブアクセスに応対可能なコミュニケーションサーバ装置であり、図３に示されるように、端末入力処理１０１、リーダー登録処理１０２、メンバ登録処理１０３、インタラクティブ制御処理１０４、インタラクティブ応答処理１０５、端末管理テーブル１０６、サービス管理テーブル１０８、サービスシナリオ展開処理１０９、サービススケジュール処理１１０およびコンテンツリンク処理１１１を実行する処理部を備える。これらの構成要素のうち、主要なものの機能は以下の通りである。
【００２６】
リーダー登録処理１０２は、デジタルコンテンツによるサービス提供を複数の携帯端末が受ける際に、まずサービス提供を受ける契機を担う携帯端末を登録する処理部である。
【００２７】
メンバ登録処理１０３は、リーダー登録処理１０２により登録した携帯端末と同一グループに属する携帯端末として該サービスを開始させるために、別の携帯端末を登録する処理部である。
【００２８】
サービススケジュール処理１１０は、リーダー登録処理１０２およびメンバ登録処理１０３により登録した同一グループの携帯端末が互いに近距離にある場合に、同一グループの携帯端末のうちの任意の携帯端末へのアクションで該携帯端末からのインタラクティブアクセスを受け、同一グループの携帯端末へサービス提供のスケジュールを管理し進行させる処理部である。なお、「携帯端末が近距離にある場合」とは、一人のユーザが同時に使用できるぐらい複数の携帯端末が接近している状態をいい、例えば、複数の携帯端末が赤外線や無線等で直接的に通信できる状態や、複数の携帯端末が可視範囲内にある状態などが含まれる。
【００２９】
コンテンツリンク処理１１１は、該スケジュールに基づいてデジタルコンテンツのリンクを設定する処理部である。
【００３０】
コンテンツ配信処理１１３は、リンクが設定されたデジタルコンテンツを同一グループの携帯端末へ配信する処理部である。
【００３１】
携帯電話４００は、画面表示機能や音声再生機能、ブラウザ機能を有し、最低限ボタンなどによる文字入力、例えば決定ボタンなどの機能があり、携帯電話用のソフトウェアを別途用意しなくともＷｅｂ上のデジタルコンテンツを閲覧できるものである。
【００３２】
つぎに、図２、図３、図４、図５、図６、図７、図８、図９を用いてコミュニケーションサーバ１００について詳述する。図２は本実施の形態によるコミュニケーションサーバ１００の内部構成例を示すブロック図、図３は本実施の形態によるコミュニケーションサーバ１００のフローチャート、図４は本実施の形態による全体シーケンス図の一例を説明する図、図５は本実施の形態による端末管理テーブルの一例を説明する図、図６は本実施の形態による端末管理テーブルとサービス管理テーブルの一例を説明する図、図７は本実施の形態による携帯電話の画面の一例を説明する図、図８は本実施の形態による携帯電話の別の一例を説明する図、図９は本実施の形態による携帯電話の設置場所の一例を説明する図である。
【００３３】
コミュニケーションサーバ１００は、例えば図２に示されるように、ブラウザ機能で接続されていることが前提であるため、携帯電話４００からの要求は端末入力処理１０１で振り分け（図３：Ｓ１０１参照）、リーダー登録処理１０２（Ｓ１０２）、メンバ登録処理１０３（Ｓ１０３）、携帯電話のアクション４０３によるインタラクティブアクセスを処理するインタラクティブ制御処理１０４（Ｓ１０４）へ引き渡される。更にインタラクティブ制御処理１０４はＷｅｂで例えばＸＨＴＭＬ言語などの条件文でメッセージのみを応答するような場合は、インタラクティブ応答処理１０５（Ｓ１０５）が携帯電話４００へ応答する。リーダー登録処理１０２とメンバ登録処理１０３により登録される携帯電話の情報は端末管理テーブル１０６に一時記憶され、管理テーブルＤＢ１０７で管理される（Ｓ１０６）。
【００３４】
コミュニケーションサーバ１００は、サービス提供を行うために、例えばサービス管理テーブル１０８で管理され、サービスシナリオ展開処理１０９とサービススケジュール処理１１０（Ｓ１０７）によってコンテンツリンク処理１１１へ条件を引き渡し（Ｓ１０８）、この条件に基づきコンテンツ情報ＤＢ１１２からコンテンツ情報を得てコンテンツ配信処理１１３（Ｓ１１０）で携帯電話４００へ配信される。
【００３５】
また、例えば携帯電話４００からのインタラクティブアクセスがインタラクティブ制御処理１０４によって、デジタルコンテンツを切り替える必要がある場合は、サービススケジュール処理１１０へパラメータを引き渡すことも可能である。
【００３６】
より詳しくは、端末入力処理１０１では、図３（ａ）に示されるように、携帯電話４００からの要求がリーダー登録である場合にはリーダー登録処理１０２を起動させ、メンバ登録である場合にはメンバ登録処理１０３を起動させ、インタラクティブアクセスである場合にはインタラクティブ制御処理１０４を起動させる。
【００３７】
リーダー登録処理１０２では、図３（ｂ）に示されるように、セッション番号が新規か既存かを判断し、セッション番号が既存の場合には、続いてリーダー番号が新規か既存かを判断し、リーダー番号が既存のときにはサービスを開始する最初のコンテンツをコンテンツ配信処理１１３で配信させ、一方、リーダー番号が新規のときにはセッション番号に新たなリーダー番号と対応させて記憶する。また、セッション番号が新規の場合には、続いてリーダー番号が新規か既存かを判断し、リーダー番号が既存のときには新たなセッション番号の記憶領域を確保してリーダー番号と対応させ、一方、リーダー番号が新規のときには処理を終了する。
【００３８】
メンバ登録処理１０３では、図３（ｃ）に示されるように、新規メンバが既存メンバか否かを判断し、新規メンバが既存メンバである場合には、セッション番号、リーダー番号とメンバ番号を対応させて関係フラグを更新し、一方、新規メンバが既存メンバでない（新規メンバである）場合には、セッション番号、リーダー番号に対応する新たなメンバ番号を設定する。
【００３９】
インタラクティブ制御処理１０４では、図３（ｄ）に示されるように、受け付けたインタラクティブアクセスがコンテンツ処理のイベントか通常のイベントかを判断し、通常のイベントである場合にはＷｅｂ記述言語の手続きで携帯電話４００に返信し、一方、コンテンツ処理のイベントである場合には、後述するように、インプレッション情報であるときにはサービス管理テーブル１０８のインプレッションフラグを更新させ、インタラクティブの端末情報とイベント内容をサービススケジュール処理１１０に渡し、続いて、サービススケジュール処理１１０で、サービススケジュールをサービスシナリオに基づいて端末ごとに配信内容を指示する。そして、サービスシナリオ展開処理１０９において、サービス管理テーブル１０８に基づいてサービススケジュールからの割り込みに応じたサービスシナリオ展開処理を行い、コンテンツリンク処理１１１において、コンテンツのリンク処理を行い、コンテンツ配信処理１１３によってコンテンツを携帯電話４００に配信する。
【００４０】
コミュニケーションサーバ１００と携帯電話４００が通信し携帯電話４００へキー入力などを表した全体シーケンスは、例えば図４に示されるようになるリーダー登録を行う携帯電話４００をリーダー端末４０１と略記し、リーダー端末４０１と同一グループとしてメンバ登録する携帯電話４００をメンバ端末４０２と略記している。リーダー端末がリーダー登録を完了したときに待機コンテンツ４０４が配信され、メンバ登録待ち４０５でメンバ登録するまで待機している。メンバ端末４０２がメンバ登録した後からサービスが開始される。リーダー端末へ配信されるデジタルコンテンツ４０６とメンバ端末へ配信されるデジタルコンテンツ４０７は、相互に関連はあるが同一デジタルコンテンツでなくてもよい。しかし、携帯電話へアクション４０３として応答するかどうかはデジタルコンテンツの内容次第であるため、この例ではまずメンバ端末へアクション４０８を行い、その次にリーダー端末へアクション４０９を行い、コミュニケーションサーバへインタラクティブアクセス４１０を送信する。
【００４１】
コミュニケーションサーバ１００の端末管理テーブル１０６は、例えば図５に示されるように、メンバ端末４０２を識別するメンバ番号５０１と、メンバ登録を何度も繰り返すことで増やしていく関係フラグ５０２を対応させて記憶している。この関係フラグの数値を評価して例えばインセンティブとしてリーダー登録できる権限を与えたい場合、端末管理テーブル１０６に蓄えた関係フラグ５０２を関係評価処理１１４で評価し、例えば１０になればリーダー権限付与１１６の情報を与えてもよい。
【００４２】
コミュニケーションサーバ１００の端末管理テーブル１０６とサービス管理テーブル１０８の関係は、例えば図６に示されるように、端末を管理するテーブル図６（ａ）とデジタルコンテンツに関わるテーブル図６（ｂ）とを分けている。この例では、図６（ａ）に示されるように、端末管理テーブル１０６のメンバ番号５０１は、図６（ｂ）に示されるように、サービス管理テーブル１０８の複数のデジタルコンテンツに対応させて記憶している。また、図６（ｂ）に示されるように、メンバ番号５０１に同じデジタルコンテンツを何度も配信したことを記憶し、その回数などをインプレッションフラグ５０３に対応させている例である。このインプレッションフラグ５０３の数値を評価して例えばインセンティブとしてリーダー登録できる権限を与えたい場合、図２に示されるように、インタラクティブ制御処理１０４により得た情報をサービス管理テーブル１０８に蓄え、インプレッション評価処理１１５で評価しリーダー権限付与１１６の情報を与えてもよい。
【００４３】
リーダー端末４０１とメンバ端末４０２の相互に関連はあるが同一デジタルコンテンツでなくても可能なサービス提供として、例えば図７に示されるように、リーダー端末４０１を所持している子供が「動くキャラクタ」をダウンロードしていて、同じ「動くキャラクタ」を、メンバ端末４０２を所持している子供が欲しい場合、まずリーダー登録画面６０１でリーダー登録し、サービス待ちうけ画面６０２が表示される。つづいてメンバ端末４０２がサービス待ちうけ画面６０２を見てメンバ用Ｗｅｂページ６０３でＵＲＬを入力する。バーコードをカメラで撮影してＵＲＬ変換する機能を使用してもよい。つぎにメンバ登録画面６０４が表示されメンバＩＤを入力してメンバ登録を行う。メンバ登録が完了するとメンバ用デジタルコンテンツ６０５に変わり「動くキャラクタ」の一覧を表示させる。ここで「動くキャラクタ」をプレビューさせた上で、欲しいものを選択したいが、画面が小さいため動画をプレビューさせるごとに画面が変わることが不便であり、また時間もかかる。そこでリーダー端末４０１にリーダー用デジタルコンテンツ６０６によってプレビュー再生させるようにするというサービスとしてもよい。リーダー端末４０１を見ながらデジタルコンテンツをプレビューさせるのでメンバ端末４０２は早期に選択決定できるという可能性がある。
【００４４】
リーダー端末４０１とメンバ端末４０２が高性能であり連携させるというような場合、図８に示されるように、動画の実体がコミュニケーションサーバにあるストリーミング方式では、携帯電話の表示画面６０７に、動画再生部６０８にストリーミング再生させ、「再生」「停止」「一時停止」などの操作ガイダンス部６０９を設け、場合によってはバナーなどによる説明部６１０をリンクさせていた。本実施の形態による一例では、リーダー端末４０１には動画再生部６０８だけとし、メンバ端末４０２に説明文と操作ガイダンス部６０９と説明部６１０を設けることが可能である。動画の実体がコミュニケーションサーバにあることから動画ストリーミングの「再生」「停止」などはメンバ端末４０２のボタン６１１により行うことで、リーダー端末４０１の負担を軽減させ、画面をフル活用して動画を「再生」「停止」させることができる。また図４に示されるように、リーダー端末４０１へのアクション４０９を可能とするサービス提供とすれば、リーダー端末４０１でのボタン操作をメンバ端末４０２と同じボタン６１１を割り当て、「再生」や「停止」などが可能となる。
【００４５】
リーダー端末４０１は、人が携える必要がない場合、図９に示されるように、ボタン入力などのアクションを起こす必要がないサービス提供では、比較的画面サイズの大きな携帯電話４００をぬいぐるみ７０１に装着した状態にして興味を引く置物や広告物に例え、これをリーダー端末４０１とし、不特定の興味を抱いた人がメンバ端末４０２となってサービス提供を受けるというようにしてもよい。
【００４６】
リーダー端末４０１へアクションを起こす場合、直接ボタン操作することはもちろん可能だが、例えばリーダー端末４０１とメンバ端末４０２がＢｌｕｅｔｏｏｔｈなどの近距離無線通信機能８０１が備わっていれば、図４に示されるリーダー端末４０１へのアクション４０９は、Ｂｌｕｅｔｏｏｔｈにより行うことも可能となる。
【００４７】
つぎに、図１０、図１１、図１２、図１３、図１４、図１５を用いてコミュニケーションサーバ１００が複数のメンバ端末４０２や複数のリーダー端末４０１を扱う場合とそのデジタルコンテンツ配信方法について詳述する。図１０は本実施の形態による複数セッションの管理テーブルの一例を説明する図、図１１は本実施の形態による複数メンバ端末のシーケンス図の一例を説明する図、図１２は本実施の形態によるサービスシナリオ考慮した管理テーブルの一例を説明する図、図１３は本実施の形態による複数リーダー端末のシーケンス図の一例を説明する図、図１４は本実施の形態によるサービスシナリオの一例を説明する図、図１５は本実施の形態による複数リーダー端末使用例を説明する図である。
【００４８】
コミュニケーションサーバ１００は、例えば図１０（ａ）に示されるように、端末管理テーブル１０６にセンション番号５０４に対応した複数のリーダー番号５０５と、リーダー番号５０５に対応した複数のメンバ番号５０１を記憶している。また図１０（ｂ）に示されるように、サービス管理テーブル１０８は、メンバ番号５０１に対応した複数のコンテンツ番号５０６を記憶してもよい。
【００４９】
コミュニケーションサーバ１００は、例えば図１１に示されるように、リーダー端末４０１のリーダーへアクション４０９によって、複数のメンバ端末４０２にデジタルコンテンツを配信することが可能である。
【００５０】
コミュニケーションサーバ１００は、例えば図１２に示されるように、端末管理テーブル１０６（図１２（ａ））とサービス管理テーブル１０８（図１２（ｂ））と連携させることで、サービスシナリオを用意することが可能となる。例えば図１２（ｂ）に示されるように、サービスシナリオテーブル５０７の端末番号５０８に、図１２（ａ）に示されるリーダー番号５０５とメンバ番号５０１に対応させてコンテンツ識別情報５０９を記憶し、コンテンツ識別情報５０９の各々デジタルコンテンツ５１０を順番に記憶している。
【００５１】
コミュニケーションサーバ１００は、例えば図１３に示されるように、リーダー端末４０１を複数台対応させるシーケンス例である。例えば図１４に示されるように、サービスシナリオを設定し、アクション４０３の想定部は、図１２（ｂ）に示されるように、コンテンツ属性５１１を設定するシナリオとしてもよい。この例ではリーダー端末４０１のＬ００１用４０４とリーダー端末４０１のＬ００２用４０５を連携させるコンテンツリンク５１２をさせて、メンバ端末４０２が複数台のリーダー端末４０１と順次に、同一グループとなれるシナリオとすることも可能である。
【００５２】
複数のリーダー端末を使用する例として、図１５に示されるように、利用者９０１がメンバ端末４０２を携えて、リーダー端末４０１のＬ００１用４０４でＣＭを見て割引チケットを獲得し、それを別の場所に設置されたリーダー端末４０１のＬ００２用４０５で確認して割引サービスを受けるということも可能である。
【００５３】
以上のように、本実施の形態によれば、コミュニケーションサーバ１００にサービス契機を担う携帯端末４０１を登録して待機状態にし、携帯端末４０２が登録すると携帯端末４０１の同一グループとなってコミュニケーションサーバ１００は同一グループの携帯端末へサービススケジュールに基づいてコンテンツリンクを行いデジタルコンテンツを順次配信する。そして、コミュニケーションサーバ１００は、同一グループの携帯端末が互いに近距離にある場合に、任意の携帯端末のアクションによるインタラクティブアクセスを応対してデジタルコンテンツの配信先や順序、デジタルコンテンツリンクを決定する。これにより、同一グループに属する複数の携帯端末に対して関連あるコンテンツが配信されるので、ユーザは、複数の携帯端末を連携させて使用することができ、近距離にある携帯端末でコミュニケーションを図るための優れたサービスが実現される。
【産業上の利用可能性】
【００５４】
本発明は、コミュニケーションサーバ装置、コンテンツ配信方法およびコンテンツ配信プログラムを製造する産業で利用される。
【図面の簡単な説明】
【００５５】
【図１】本実施の形態によるコミュニケーションサーバ装置の全体構成図である。
【図２】本実施の形態によるコミュニケーションサーバ１００の内部構成例を示すブロック図である。
【図３】本実施の形態によるコミュニケーションサーバ１００のフローチャートである。
【図４】本実施の形態による全体シーケンス図の一例である。
【図５】本実施の形態による端末管理テーブルの一例である。
【図６】本実施の形態による端末管理テーブルとサービス管理テーブルの一例である。
【図７】本実施の形態による携帯電話の画面の一例である。
【図８】本実施の形態による携帯電話の別の一例である。
【図９】本実施の形態による携帯電話の設置場所の一例である。
【図１０】本実施の形態による複数セッションの管理テーブルの一例である。
【図１１】本実施の形態による複数メンバ端末のシーケンス図の一例である。
【図１２】本実施の形態によるサービスシナリオ考慮した管理テーブルの一例である。
【図１３】本実施の形態による複数リーダー端末のシーケンス図の一例である。
【図１４】本実施の形態によるサービスシナリオの一例である。
【図１５】本実施の形態による複数リーダー端末使用例である。
【符号の説明】
【００５６】
１００    コミュニケーションサーバ
１０１    端末入力処理
１０２    リーダー登録処理
１０３    メンバ登録処理
１０４    インタラクティブ制御処理
１０５    インタタラクティブ応答処理
１０６    端末管理テーブル
１０７    管理テーブルＤＢ
１０８    サービス管理テーブル
１０９    サービスシナリオ展開処理
１１０    サービススケジュール処理
１１１    コンテンツリンク処理
１１２    コンテンツ情報ＤＢ
１１３    コンテンツ配信処理
１１４    関係評価処理
１１５    インプレッション評価処理
１１６    リーダー権限付与
２００    移動体通信網
３００    インターネット
４００    携帯電話
４０１    リーダー端末
４０２    メンバ端末
４０３    携帯電話のアクション
４０４    待機コンテンツ
４０５    メンバ登録待ち
４０６    リーダー端末へ配信されるデジタルコンテンツ
４０７    メンバ端末へ配信されるデジタルコンテンツ
４０８    メンバ端末へアクション
４０９    リーダー端末へアクション
４１０    インタラクティブアクセス
５０１    メンバ番号
５０２    関係フラグ
５０３    インプレッションフラグ
６０１    リーダー登録画面
６０２    サービス待ちうけ画面
６０３    メンバ用Ｗｅｂページ
６０４    メンバ登録画面
６０５    メンバ用デジタルコンテンツ
６０６    リーダー用デジタルコンテンツ
６０７    携帯電話の表示画面
６０８    動画再生部
６０９    操作ガイダンス部
６１０    説明部
７０１    ぬいぐるみ
８０１    近距離無線通信機能
９０１    利用者
【図１】
2007295208.tif 000003
【図２】
2007295208.tif 000004
【図３】
2007295208.tif 000005
【図４】
2007295208.tif 000006
【図５】
2007295208.tif 000007
【図６】
2007295208.tif 000008
【図７】
2007295208.tif 000009
【図８】
2007295208.tif 000010
【図９】
2007295208.tif 000011
【図１０】
2007295208.tif 000012
【図１１】
2007295208.tif 000013
【図１２】
2007295208.tif 000014
【図１３】
2007295208.tif 000015
【図１４】
2007295208.tif 000016
【図１５】
2007295208.tif 000017